(57)【特許請求の範囲】
【請求項１】
端末に基づく情報交信方法であって、
前記端末がウェアラブルデバイスとの接続を確立するステップと、
前記端末が、前記接続を介して、ログイン中ＩＤに対応する交信対象情報を前記ウェアラブルデバイスに送信するステップと、
前記端末が前記ウェアラブルデバイスによって戻される第１の暗号化結果を受信するステップであって、前記第１の暗号化結果は、前記ログイン中ＩＤに一意的に対応する予め記憶された暗号化キーにより前記ウェアラブルデバイスが前記交信対象情報を暗号化することによって取得される、ステップと、
前記端末が前記第１の暗号化結果に対応する第１の検証ファクターを不可逆的アルゴリズムにより生成するステップと、
前記端末が前記交信対象情報と前記第１の検証ファクターとを関連付けてサーバに送信するステップと、
前記端末が前記サーバによって送信され、かつ、交信が終了したことを示すメッセージを受信するステップであって、前記メッセージは、前記サーバが第２の検証ファクターが前記第１の検証ファクターと同じであると決定した場合に送信され、前記第２の検証ファクターは、前記不可逆的アルゴリズムにより生成されるとともに第２の暗号化結果に対応し、前記第２の暗号化結果は、予め記憶された前記暗号化キーにより前記サーバが前記交信対象情報を暗号化することによって取得される、ステップと、
を含む、情報交信方法。
【請求項２】
前記端末が前記ウェアラブルデバイスによって送信される前記暗号化キーを受信するステップと、
前記端末が前記暗号化キーを前記サーバに送信するステップであって、前記サーバは、送信された前記暗号化キーと前記ログイン中ＩＤとを関連付けて記憶する、ステップと、
をさらに含む、請求項１に記載の情報交信方法。
【請求項３】
前記端末が前記サーバによって送信される前記暗号化キーを受信するステップと、
前記端末が前記接続を介して、前記暗号化キーを前記ウェアラブルデバイスに送信するステップであって、前記ウェアラブルデバイスは、送信された前記暗号化キーと前記ログイン中ＩＤとを関連付けて記憶する、ステップと、
をさらに含む、請求項１に記載の情報交信方法。
【請求項４】
端末に基づく情報交信方法であって、
前記端末がウェアラブルデバイスとの接続を確立するステップと、
前記端末が、前記接続を介して、ログイン中ＩＤに対応する交信対象情報を前記ウェアラブルデバイスに送信するステップと、
前記端末が前記ウェアラブルデバイスによって戻される暗号化結果を受信するステップであって、前記暗号化結果は、前記ログイン中ＩＤに一意的に対応する予め記憶された第１の暗号化キーにより前記ウェアラブルデバイスが前記交信対象情報を暗号化することによって取得される、ステップと、
前記端末が前記交信対象情報に対応する第１の検証ファクターを不可逆的アルゴリズムにより生成するステップと、
前記端末が前記第１の検証ファクターと前記暗号化結果とを関連付けて前記サーバに送信するステップと、
前記端末が交信の終了したことを示すメッセージを受信するステップであって、前記サーバが、前記第１の暗号化キーにマッチングする第２の暗号化キーを用いて前記暗号化結果に復号化操作をし、且つ、送信された前記第１の検証ファクターと第２の検証ファクターが同じであると決定した場合に、前記サーバが前記交信の終了したことを示すメッセージを戻し、前記第２の検証ファクターは、前記不可逆的アルゴリズムにより生成されるとともに前記復号化操作の結果に対応する、ステップと、
を含み、
前記端末と前記ウェアラブルデバイスの間の情報伝達は、ユーザに透過的である、
情報交信方法。
【請求項５】
前記端末が前記サーバによって送信される前記第１の暗号化キーを受信するステップと、
前記端末が前記接続を介して、前記第１の暗号化キーを前記ウェアラブルデバイスに送信するステップであって、前記ウェアラブルデバイスは、送信された前記第１の暗号化キーと前記ログイン中ＩＤとを関連付けて記憶する、ステップと、
をさらに含む、請求項４に記載の情報交信方法。
【請求項６】
前記端末が前記ウェアラブルデバイスによって送信される前記第２の暗号化キーを受信するステップと、
前記端末が前記第２の暗号化キーを前記サーバに送信するステップであって、前記サーバは、送信された前記第２の暗号化キーと前記ログイン中ＩＤとを関連付けて記憶する、ステップと、
をさらに含む、請求項４に記載の情報交信方法。
【請求項７】
ウェアラブルデバイスに基づく情報交信方法であって、
端末との接続を確立するステップと、
前記接続を介して、前記端末によって送信される交信対象情報を受信するステップであって、前記交信対象情報は、前記端末上のログイン中ＩＤに対応する、ステップと、
前記ログイン中ＩＤに一意的に対応する予め記憶された暗号化キーにより前記交信対象情報を暗号化して、暗号化結果を得るステップと、
前記接続を介して前記暗号化結果を前記端末に送信するステップであって、前記端末はサーバに対して、検証ファクターと前記交信対象情報とを関連付けて送信し、前記検証ファクターは、不可逆的アルゴリズムにより前記端末によって生成されるとともに前記暗号化結果に対応する、ステップと、
を含み、
前記端末と前記ウェアラブルデバイスの間の情報伝達、および、前記ウェアラブルデバイスによる暗号化操作は、ユーザに透過的である、
情報交信方法。
【請求項８】
情報交信装置であって、
ウェアラブルデバイスとの接続を確立するように構成された確立モジュールと、
前記接続を介して、ログイン中ＩＤに対応する交信対象情報を前記ウェアラブルデバイスに送信するように構成された第１の送信モジュールと、
前記ウェアラブルデバイスによって戻される第１の暗号化結果を受信するように構成された第１の受信モジュールであって、前記第１の暗号化結果は、前記ログイン中ＩＤに一意的に対応する予め記憶された暗号化キーにより前記ウェアラブルデバイスが前記交信対象情報を暗号化することによって取得される、前記第１の受信モジュールと、
前記第１の暗号化結果に対応する第１の検証ファクターを不可逆的アルゴリズムにより生成するように構成された生成モジュールと、
前記交信対象情報と前記第１の検証ファクターとを関連付けてサーバに送信するように構成された第２の送信モジュールと、
前記サーバによって送信され、かつ、交信が終了したことを示すメッセージを受信するように構成された第２の受信モジュールであって、前記メッセージは、第２の検証ファクターが前記第１の検証ファクターと同じであると前記サーバが決定した場合に送信され、前記第２の検証ファクターは、前記不可逆的アルゴリズムにより生成されるとともに第２の暗号化結果に対応し、前記第２の暗号化結果は、予め記憶された前記暗号化キーにより前記サーバが前記交信対象情報を暗号化することによって取得される、前記第２の受信モジュールと、
を備える、情報交信装置。
【請求項９】
前記ウェアラブルデバイスによって送信される前記暗号化キーを受信するように構成された第１の暗号化キー受信モジュールと、
前記暗号化キーを前記サーバに送信するように構成された第１の暗号化キー送信モジュールであって、前記サーバは、送信された前記暗号化キーと前記ログイン中ＩＤとを関連付けて記憶する、前記第１の暗号化キー送信モジュールと、
をさらに備える、請求項８に記載の情報交信装置。
【請求項１０】
前記サーバによって送信される前記暗号化キーを受信するように構成された第２の暗号化キー受信モジュールと、
前記接続を介して、前記暗号化キーを前記ウェアラブルデバイスに送信するように構成された第２の暗号化キー送信モジュールであって、前記ウェアラブルデバイスは、送信された前記暗号化キーと前記ログイン中ＩＤとを関連付けて記憶する、前記第２の暗号化キー送信モジュールと、
をさらに備える、請求項８に記載の情報交信装置。
【請求項１１】
情報交信装置であって、
ウェアラブルデバイスとの接続を確立するように構成された確立モジュールと、
前記接続を介して、ログイン中ＩＤに対応する交信対象情報を前記ウェアラブルデバイスに送信するように構成された第１の送信モジュールと、
前記ウェアラブルデバイスによって戻される暗号化結果を受信するように構成された第１の受信モジュールであって、前記暗号化結果は、前記ログイン中ＩＤに対応する予め記憶された第１の暗号化キーにより前記交信対象情報を前記ウェアラブルデバイスが暗号化することによって取得される、前記第１の受信モジュールと、
前記暗号化結果をサーバに送信するように構成された第２の送信モジュールと、
前記サーバによって送信され、かつ、交信が終了したことを示すメッセージを受信するように構成された第２の受信モジュールであって、前記メッセージは、前記サーバが前記第１の暗号化キーにマッチングする第２の暗号化キーを用いて前記暗号化結果に復号化操作を行った後に送信される、前記第２の受信モジュールと、
前記交信対象情報に対応する第１の検証ファクターを不可逆的アルゴリズムにより生成するように構成された生成モジュールと、
前記第１の検証ファクターと前記暗号化結果とを関連付けて前記サーバに送信するように構成された第３の送信モジュールであって、前記サーバは、送信された前記第１の検証ファクターと第２の検証ファクターが同じであると決定した場合に、交信が終了したことを示すメッセージを戻し、前記第２の検証ファクターは、前記不可逆的アルゴリズムにより生成されるとともに前記復号化操作の結果に対応する、前記第３の送信モジュールと、
を備え、
前記情報交信装置と前記ウェアラブルデバイスの間の情報伝達は、ユーザに透過的である、
情報交信装置。
【請求項１２】
前記サーバによって送信される前記第１の暗号化キーを受信するように構成された第１の暗号化キー受信モジュールと、
前記接続を介して、前記第１の暗号化キーを前記ウェアラブルデバイスに送信するように構成された第１の暗号化キー送信モジュールであって、前記ウェアラブルデバイスは、送信された前記第１の暗号化キーと前記ログイン中ＩＤとを関連付けて記憶する、前記第１の暗号化キー送信モジュールと、
をさらに備える、請求項１１に記載の情報交信装置。
【請求項１３】
前記ウェアラブルデバイスによって送信される前記第２の暗号化キーを受信するように構成された第２の暗号化キー受信モジュールと、
前記第２の暗号化キーを前記サーバに送信するように構成された第２の暗号化キー送信モジュールであって、前記サーバは、送信された前記第２の暗号化キーと前記ログイン中ＩＤとを関連付けて記憶する、前記第２の暗号化キー送信モジュールと、
をさらに備える、請求項１１に記載の情報交信装置。
【請求項１４】
情報交信装置であって、
端末との接続を確立するように構成された確立モジュールと、
前記接続を介して、前記端末によって送信される交信対象情報を受信するように構成された受信モジュールであって、前記交信対象情報は、前記端末上のログイン中ＩＤに対応する、前記受信モジュールと、
前記ログイン中ＩＤに一意的に対応する予め記憶された暗号化キーにより前記交信対象情報を暗号化して、暗号化結果を得るように構成された暗号化モジュールと、
前記接続を介して、前記暗号化結果を前記端末に送信するように構成された送信モジュールであって、前記端末はサーバに対して、検証ファクターと前記交信対象情報とを関連付けて送信し、前記検証ファクターは、不可逆的アルゴリズムにより前記端末によって生成されるとともに前記暗号化結果に対応する、送信モジュールと、
を備え、
前記情報交信装置と前記端末の間の情報伝達、および、前記情報交信装置による暗号化操作は、ユーザに透過的である、
情報交信装置。
【請求項１５】
請求項１から７のいずれか１つに記載の情報交信方法をコンピュータに実行させるためのコンピュータプログラム。
【請求項１６】
請求項１５に記載のコンピュータプログラムを記憶したコンピュータプログラム可読記憶媒体。
【発明の詳細な説明】
【技術分野】
【０００１】
（関連出願の相互参照）
本願は、２０１４年９月２５日に中国知識産権局に出願された中国特許出願番号２０１４１０４９８７４３．６に基づいて優先権を主張するものであり、その全体の内容が参照により本明細書に援用される。
【０００２】
本開示は、通信技術の分野に関し、より具体的には、情報交信方法、情報交信装置および電子機器に関する。
【背景技術】
【０００３】
ユーザは、登録されたＩＤおよびログインパスワードを端末に入力することにより端末にログインする。ユーザはその後、ログイン中ＩＤに基づいて情報交信を行う。しかしながら、より高いセキュリティが必要とされる場合、ユーザの身元をさらに検証する必要がある。従来技術では一般的に、身元を検証するためのパスワードをユーザが入力する必要がある。
【０００４】
しかしながら、身元を検証するためのパスワードを入力するときに、他人がパスワードを見ることは容易である。一方、パスワードが複雑である場合には、ユーザはパスワードの入力に長い時間を要し、また、情報交信の効率性に影響を及ぼすという問題（入力ミスなど）が生じる可能性もある。
【発明の概要】
【０００５】
本開示の実施形態は、従来技術における情報交信の効率性が低いという問題を解決するために、情報交信方法、情報交信装置および電子機器を提供する。
【０００６】
本開示の実施形態の第１態様によれば、情報交信方法であって、
ウェアラブルデバイスとの接続を確立するステップと、
前記接続を介して、ログイン中ＩＤに対応する交信対象情報を前記ウェアラブルデバイスに送信するステップと、
前記ウェアラブルデバイスによって戻される第１の暗号化結果を受信するステップであって、前記第１の暗号化結果は、前記ログイン中ＩＤに一意的に対応する予め記憶された暗号化キーにより前記ウェアラブルデバイスが前記交信対象情報を暗号化することによって取得される、ステップと、
前記第１の暗号化結果に対応する第１の検証ファクターを予め定められたアルゴリズムにより生成するステップと、
前記交信対象情報と前記第１の検証ファクターとを関連付けてサーバに送信するステップと、
前記サーバによって送信され、かつ、交信が終了したことを示すメッセージを受信するステップであって、前記メッセージは、前記サーバが第２の検証ファクターが前記第１の検証ファクターと同じであると決定した場合に送信され、前記第２の検証ファクターは、予め定められた前記アルゴリズムにより生成されるとともに第２の暗号化結果に対応し、前記第２の暗号化結果は、予め記憶された前記暗号化キーにより前記サーバが前記交信対象情報を暗号化することによって取得される、ステップと、
を含む、情報交信方法を提供する。
【０００７】
前記情報交信方法は、
前記ウェアラブルデバイスによって送信される前記暗号化キーを受信するステップと、
前記暗号化キーを前記サーバに送信するステップであって、前記サーバは、送信された前記暗号化キーと前記ログイン中ＩＤとを関連付けて記憶する、ステップと、
をさらに含んでもよい。
【０００８】
前記情報交信方法は、
前記サーバによって送信される前記暗号化キーを受信するステップと、
前記接続を介して、前記暗号化キーを前記ウェアラブルデバイスに送信するステップであって、前記ウェアラブルデバイスは、送信された前記暗号化キーと前記ログイン中ＩＤとを関連付けて記憶する、ステップと、
をさらに含んでもよい。
【０００９】
本開示の実施形態の第２態様によれば、情報交信方法であって、
ウェアラブルデバイスとの接続を確立するステップと、
前記接続を介して、ログイン中ＩＤに対応する交信対象情報を前記ウェアラブルデバイスに送信するステップと、
前記ウェアラブルデバイスによって戻される暗号化結果を受信するステップであって、前記暗号化結果は、前記ログイン中ＩＤに一意的に対応する予め記憶された第１の暗号化キーにより前記ウェアラブルデバイスが前記交信対象情報を暗号化することによって取得される、ステップと、
前記暗号化結果をサーバに送信するステップと、
前記サーバによって送信され、かつ、交信が終了したことを示すメッセージを受信するステップであって、前記メッセージは、前記サーバが前記第１の暗号化キーにマッチングする第２の暗号化キーを用いて前記暗号化結果に復号化操作を行った後に送信される、ステップと、
を含む、情報交信方法を提供する。
【００１０】
前記情報交信方法は、
前記サーバによって送信される前記第１の暗号化キーを受信するステップと、
前記接続を介して、前記第１の暗号化キーを前記ウェアラブルデバイスに送信するステップであって、前記ウェアラブルデバイスは、送信された前記第１の暗号化キーと前記ログイン中ＩＤとを関連付けて記憶する、ステップと、
をさらに含んでもよい。
【００１１】
前記情報交信方法は、
前記ウェアラブルデバイスによって送信される前記第２の暗号化キーを受信するステップと、
前記第２の暗号化キーを前記サーバに送信するステップであって、前記サーバは、送信された前記第２の暗号化キーと前記ログイン中ＩＤとを関連付けて記憶する、ステップと、
をさらに含んでもよい。
【００１２】
前記情報交信方法は、
前記交信対象情報に対応する第１の検証ファクターを予め定められたアルゴリズムにより生成するステップと、
前記第１の検証ファクターと前記暗号化結果とを関連付けて前記サーバに送信するステップであって、前記サーバは、送信された前記第１の検証ファクターと第２の検証ファクターが同じであると決定した場合に、交信が終了したことを示すメッセージを戻し、前記第２の検証ファクターは、予め定められた前記アルゴリズムにより生成されるとともに前記復号化操作の結果に対応する、ステップと、
をさらに含んでもよい。
【００１３】
本開示の実施形態の第３態様によれば、情報交信方法であって、
端末との接続を確立するステップと、
前記接続を介して、前記端末によって送信される交信対象情報を受信するステップであって、前記交信対象情報は、前記端末上のログイン中ＩＤに対応する、ステップと、
前記ログイン中ＩＤに一意的に対応する予め記憶された暗号化キーにより前記交信対象情報を暗号化して、暗号化結果を得るステップと、
前記接続を介して前記暗号化結果を前記端末に送信するステップであって、前記端末はサーバに対して、送信された前記暗号化結果を送信、あるいは、検証ファクターと前記交信対象情報とを関連付けて送信し、前記検証ファクターは、予め定められたアルゴリズムにより前記端末によって生成されるとともに前記暗号化結果に対応する、ステップと、
を含む、情報交信方法を提供する。
【００１４】
本開示の実施形態の第４態様によれば、情報交信装置であって、
ウェアラブルデバイスとの接続を確立するように構成された確立モジュールと、
前記接続を介して、ログイン中ＩＤに対応する交信対象情報を前記ウェアラブルデバイスに送信するように構成された第１の送信モジュールと、
前記ウェアラブルデバイスによって戻される第１の暗号化結果を受信するように構成された第１の受信モジュールであって、前記第１の暗号化結果は、前記ログイン中ＩＤに一意的に対応する予め記憶された暗号化キーにより前記ウェアラブルデバイスが前記交信対象情報を暗号化することによって取得される、前記第１の受信モジュールと、
前記第１の暗号化結果に対応する第１の検証ファクターを予め定められたアルゴリズムにより生成するように構成された生成モジュールと、
前記交信対象情報と前記第１の検証ファクターとを関連付けてサーバに送信するように構成された第２の送信モジュールと、
前記サーバによって送信され、かつ、交信が終了したことを示すメッセージを受信するように構成された第２の受信モジュールであって、前記メッセージは、第２の検証ファクターが前記第１の検証ファクターと同じであると前記サーバが決定した場合に送信され、前記第２の検証ファクターは、予め定められた前記アルゴリズムにより生成されるとともに第２の暗号化結果に対応し、前記第２の暗号化結果は、予め記憶された前記暗号化キーにより前記サーバが前記交信対象情報を暗号化することによって取得される、前記第２の受信モジュールと、
を備える、情報交信装置を提供する。
【００１５】
前記情報交信装置は、
前記ウェアラブルデバイスによって送信される前記暗号化キーを受信するように構成された第１の暗号化キー受信モジュールと、
前記暗号化キーを前記サーバに送信するように構成された第１の暗号化キー送信モジュールであって、前記サーバは、送信された前記暗号化キーと前記ログイン中ＩＤとを関連付けて記憶する、前記第１の暗号化キー送信モジュールと、
をさらに備えてもよい。
【００１６】
前記情報交信装置は、
前記サーバによって送信される前記暗号化キーを受信するように構成された第２の暗号化キー受信モジュールと、
前記接続を介して、前記暗号化キーを前記ウェアラブルデバイスに送信するように構成された第２の暗号化キー送信モジュールであって、前記ウェアラブルデバイスは、送信された前記暗号化キーと前記ログイン中ＩＤとを関連付けて記憶する、前記第２の暗号化キー送信モジュールと、
をさらに備えてもよい。
【００１７】
本開示の実施形態の第５態様によれば、情報交信装置であって、
ウェアラブルデバイスとの接続を確立するように構成された確立モジュールと、
前記接続を介して、ログイン中ＩＤに対応する交信対象情報を前記ウェアラブルデバイスに送信するように構成された第１の送信モジュールと、
前記ウェアラブルデバイスによって戻される暗号化結果を受信するように構成された第１の受信モジュールであって、前記暗号化結果は、前記ログイン中ＩＤに対応する予め記憶された第１の暗号化キーにより前記交信対象情報を前記ウェアラブルデバイスが暗号化することによって取得される、前記第１の受信モジュールと、
前記暗号化結果をサーバに送信するように構成された第２の送信モジュールと、
前記サーバによって送信され、かつ、交信が終了したことを示すメッセージを受信するように構成された第２の受信モジュールであって、前記メッセージは、前記サーバが前記第１の暗号化キーにマッチングする第２の暗号化キーを用いて前記暗号化結果に復号化操作を行った後に送信される、前記第２の受信モジュールと、
を備える、情報交信装置を提供する。
【００１８】
前記情報交信装置は、
前記サーバによって送信される前記第１の暗号化キーを受信するように構成された第１の暗号化キー受信モジュールと、
前記接続を介して、前記第１の暗号化キーを前記ウェアラブルデバイスに送信するように構成された第１の暗号化キー送信モジュールであって、前記ウェアラブルデバイスは、送信された前記第１の暗号化キーと前記ログイン中ＩＤとを関連付けて記憶する、前記第１の暗号化キー送信モジュールと、
をさらに備えてもよい。
【００１９】
前記情報交信装置は、
前記ウェアラブルデバイスによって送信される前記第２の暗号化キーを受信するように構成された第２の暗号化キー受信モジュールと、
前記第２の暗号化キーを前記サーバに送信するように構成された第２の暗号化キー送信モジュールであって、前記サーバは、送信された前記第２の暗号化キーと前記ログイン中ＩＤとを関連付けて記憶する、前記第２の暗号化キー送信モジュールと、
をさらに備えてもよい。
【００２０】
前記情報交信装置は、
前記交信対象情報に対応する第１の検証ファクターを予め定められたアルゴリズムにより生成するように構成された生成モジュールと、
前記第１の検証ファクターと前記暗号化結果とを関連付けて前記サーバに送信するように構成された第３の送信モジュールであって、前記サーバは、送信された前記第１の検証ファクターと第２の検証ファクターが同じであると決定した場合に、交信が終了したことを示すメッセージを戻し、前記第２の検証ファクターは、予め定められた前記アルゴリズムにより生成されるとともに前記復号化操作の結果に対応する、前記第３の送信モジュールと、
をさらに備えてもよい。
【００２１】
本開示の実施形態の第６態様によれば、
情報交信装置であって、
端末との接続を確立するように構成された確立モジュールと、
前記接続を介して、前記端末によって送信される交信対象情報を受信するように構成された受信モジュールであって、前記交信対象情報は、前記端末上のログイン中ＩＤに対応する、前記受信モジュールと、
前記ログイン中ＩＤに一意的に対応する予め記憶された暗号化キーにより前記交信対象情報を暗号化して、暗号化結果を得るように構成された暗号化モジュールと、
前記接続を介して、前記暗号化結果を前記端末に送信するように構成された送信モジュールであって、前記端末はサーバに対して、送信された前記暗号化結果を送信、あるいは、検証ファクターと前記交信対象情報とを関連付けて送信し、前記検証ファクターは、予め定められたアルゴリズムにより前記端末によって生成されるとともに前記暗号化結果に対応する、送信モジュールと、
を備える、情報交信装置を提供する。
【００２２】
本開示の実施形態の第７態様によれば、電子機器であって、
プロセッサと、
前記プロセッサによって実行可能な命令を記憶するように構成されたメモリと、を備え、
前記プロセッサは、
ウェアラブルデバイスとの接続を確立するステップと、
前記接続を介して、ログイン中ＩＤに対応する交信対象情報を前記ウェアラブルデバイスに送信するステップと、
前記ウェアラブルデバイスによって戻される第１の暗号化結果を受信するステップであって、前記第１の暗号化結果は、前記ログイン中ＩＤに一意的に対応する予め記憶された暗号化キーにより前記ウェアラブルデバイスが前記交信対象情報を暗号化することによって取得される、ステップと、
前記第１の暗号化結果に対応する第１の検証ファクターを予め定められたアルゴリズムにより生成するステップと、
前記交信対象情報と前記第１の検証ファクターとを関連付けてサーバに送信するステップと、
前記サーバによって送信され、かつ、交信が終了したことを示すメッセージを受信するステップであって、前記メッセージは、前記サーバが第２の検証ファクターが前記第１の検証ファクターと同じであると決定した場合に送信され、前記第２の検証ファクターは、予め定められた前記アルゴリズムにより生成されるとともに第２の暗号化結果に対応し、前記第２の暗号化結果は、予め記憶された前記暗号化キーにより前記サーバが前記交信対象情報を暗号化することによって取得される、ステップと、
を実行するように構成される、電子機器を提供する。
【００２３】
本開示の実施形態の第８態様によれば、
電子機器であって、
プロセッサと、
前記プロセッサによって実行可能な命令を記憶するように構成されたメモリと、を備え、
前記プロセッサは、
ウェアラブルデバイスとの接続を確立するステップと、
前記接続を介して、ログイン中ＩＤに対応する交信対象情報を前記ウェアラブルデバイスに送信するステップと、
前記ウェアラブルデバイスによって戻される暗号化結果を受信するステップであって、前記暗号化結果は、前記ログイン中ＩＤに一意的に対応する予め記憶された第１の暗号化キーにより前記ウェアラブルデバイスが前記交信対象情報を暗号化することによって取得される、ステップと、
前記暗号化結果をサーバに送信するステップと、
前記サーバによって送信され、かつ、交信が終了したことを示すメッセージを受信するステップであって、前記メッセージは、前記サーバが前記第１の暗号化キーにマッチングする第２の暗号化キーを用いて前記暗号化結果に復号化操作を行った後に送信される、ステップと、
を実行するように構成される、電子機器を提供する。
【００２４】
本開示の実施形態の第９態様によれば、
電子機器であって、
プロセッサと、
前記プロセッサによって実行可能な命令を記憶するように構成されたメモリと、を備え、
前記プロセッサは、
端末との接続を確立するステップと、
前記接続を介して、前記端末によって送信される交信対象情報を受信するステップであって、前記交信対象情報は、前記端末上のログイン中ＩＤに対応する、ステップと、
前記ログイン中ＩＤに一意的に対応する予め記憶された暗号化キーにより前記交信対象情報を暗号化して、暗号化結果を得るステップと、
前記接続を介して、前記暗号化結果を前記端末に送信するステップであって、前記端末はサーバに対して、送信された前記暗号化結果を送信、あるいは、検証ファクターと前記交信対象情報とを関連付けて送信し、前記検証ファクターは、予め定められたアルゴリズムにより前記端末によって生成されるとともに前記暗号化結果に対応する、ステップと、
を実行するように構成される、電子機器を提供する。
【発明の効果】
【００２５】
本開示の実施形態によって提供される技術的解決策は、次のような有利な効果を有する。
【００２６】
ユーザＩＤに対応する暗号化キーのペアを予め設定し、暗号化キーのペアをウェアラブルデバイスとサーバのそれぞれに記憶することにより、交信対象情報をウェアラブルデバイスによって暗号化することによって、ウェアラブルデバイスに記憶された暗号化キーをサーバによって検証することができる。このようにして、ユーザの身元を検証し、ユーザが身元を検証するためのパスワードを手動で入力する操作も回避することができ、これにより、情報交信の効率性の向上を促進することができる。
【００２７】
前述の一般的説明及び以下の詳細な説明の両方は、例示的で説明的なものであり、クレーム化された本開示を限定するものではない。
【図面の簡単な説明】
【００２８】
本明細書に組み込まれ、本明細書の一部を構成する添付図面は、本開示とマッチングする実施形態を例示するものであり、その記述と共に、本開示の原理を説明するのに役立つ。
【図１Ａ】本開示の例示的な実施形態に係る端末に基づく情報交信方法を表すフローチャート
【図１Ｂ】本開示の例示的な実施形態に係るウェアラブルデバイスに基づく情報交信方法を表すフローチャート
【図２】本開示の例示的な実施形態に係る情報交信場面を表す概略図
【図３】本開示の例示的な実施形態に係る支払場面における情報交信方法を表すフローチャート
【図４Ａ】本開示の例示的な実施形態に係る端末に基づく別の情報交信方法を表すフローチャート
【図４Ｂ】本開示の例示的な実施形態に係るウェアラブルデバイスに基づく別の情報交信方法を表すフローチャート
【図５】本開示の例示的な実施形態に係る支払場面における別の情報交信方法を表すフローチャート
【図６】本開示の例示的な実施形態に係る支払場面における別の情報交信方法を表すフローチャート
【図７】本開示の例示的な実施形態に係る端末に基づく情報交信装置を表すブロック図
【図８】本開示の例示的な実施形態に係る端末に基づく別の情報交信装置を表すブロック図
【図９】本開示の例示的な実施形態に係る端末に基づく別の情報交信装置を表すブロック図
【図１０】本開示の例示的な実施形態に係る端末に基づく別の情報交信装置を表すブロック図
【図１１】本開示の例示的な実施形態に係る端末に基づく別の情報交信装置を表すブロック図
【図１２】本開示の例示的な実施形態に係る端末に基づく別の情報交信装置を表すブロック図
【図１３】本開示の例示的な実施形態に係る端末に基づく別の情報交信装置を表すブロック図
【図１４】本開示の例示的な実施形態に係るウェアラブルデバイスに基づく別の情報交信装置を表すブロック図
【図１５】本開示の例示的な実施形態に係る情報交信を行うための装置を表すブロック図
【発明を実施するための形態】
【００２９】
添付図面に示されている例示的な実施形態、実施例を詳細に参照する。以下の説明は、添付の図面を参照し、異なる図面における同一の数字は、特に示さない限り、同一又は類似の要素を表す。例示的な実施形態の以下の説明に記載されている実施例は、本開示とマッチングする全ての実施例を表すものではない。むしろ、それらは、添付の特許請求の範囲に記載の本開示に関連する態様とマッチングする装置及び方法の単なる例示である。
【００３０】
図１Ａは、本開示の例示的な実施形態に係る端末に基づく情報交信方法のフローチャートである。情報交信方法は端末で使用され、以下のステップを含む。
【００３１】
ステップＳ１０２では、ウェアラブルデバイスとの接続が確立される。
【００３２】
本実施形態に係るウェアラブルデバイスには、ウェアラブルなポータブルデバイス、あるいは、ユーザの服およびアクセサリーに統合可能なポータブルデバイスが含まれる（例えば、スマートメガネ、スマートウォッチ、スマートブレスレット、スマート靴など）。しかし、本明細書では、特定のタイプのウェアラブルデバイスに限定されない。
【００３３】
本実施形態では、ウェアラブルデバイスとの接続は、様々な方法で端末によって実現される。例示的な実施例として、接続は、マイクロＵＳＢ回線を介した接続などの有線接続である。例示的な実施例として、接続は、ブルートゥース接続、赤外線接続、ワイヤレスフィデリティ（ＷＩＦＩ）接続などの無線接続である。しかし、本明細書では、特定のタイプの接続に限定されない。
【００３４】
ステップ１０４では、前述した接続を介して、ログインしているＩＤ（ログイン中ＩＤ）に対応する交信対象情報がウェアラブルデバイスに送信される。
【００３５】
ステップ１０６では、ウェアラブルデバイスによって戻される第１の暗号化された結果（第１の暗号化結果）が受信される。第１の暗号化結果は、ログイン中ＩＤに一意的に対応する予め記憶された暗号化キーによりウェアラブルデバイスが交信対象情報を暗号化することによって取得される。
【００３６】
本実施形態では、ユーザは、予め登録したユーザＩＤで端末にログインすることにより、対応する操作（データの閲覧、所定の機能の開始など）を実行することができる。より高いセキュリティが必要となるケースで、ユーザの身元を検証する必要がある場合でも、ユーザが身元を検証するためのパスワードを手動で入力する必要はなく、端末は、ユーザによって交信対象情報が決定された後にその交信対象情報をウェアラブルデバイスに送信し、ウェアラブルデバイスは交信対象情報を暗号化する。言い換えれば、交信対象情報にデジタル署名が行われる。
【００３７】
本実施形態では、ユーザは交信対象情報を決定する必要があるのみであり、その一方で、端末とウェアラブルデバイスの間の情報伝達、および、ウェアラブルデバイスによる暗号化操作は、ユーザに透過的である。言い換えれば、身元を検証する手順はユーザの観点からは存在せず、また、プロセス全体におけるユーザの操作およびアクションが簡略化される。これにより、ユーザ体験を向上させることができ、情報交信速度を向上させることができる。
【００３８】
ステップ１０８では、第１の暗号化結果に対応する第１の検証ファクターが予め定められたアルゴリズムにより生成される。
【００３９】
本実施形態では、ウェアラブルデバイスとサーバのそれぞれで同じアルゴリズムを予め設定しているため、ユーザの身元が正しい場合には、ウェアラブルデバイスによって生成される検証ファクターは、サーバによって生成される検証ファクターと同じである。このようにして、ユーザの身元を検証することができる。
【００４０】
本実施形態では、予め定められたアルゴリズムは、不可逆的アルゴリズムであってもよい。言い換えれば、第１の検証ファクターは、第１の暗号化結果に応じて生成されるが、第１の暗号化結果は、第１の検証ファクターに応じて決定することができないため、セキュリティが保証される。予め定められたアルゴリズムは、メッセージダイジェストアルゴリズム５（ＭＤ５）、セキュアハッシュアルゴリズム（ＳＨＡ）などのメッセージダイジェスト生成アルゴリズムであってもよい。第１の検証ファクターを生成することにより、受信した交信対象情報に対するインテグリティチェックがサーバによって実行されるとともに、ウェアラブルデバイスによって適用される予め記憶された暗号化キーが反映され、同時に、データ交換量を低減することができ、情報交信の効率性を向上させることができる。
【００４１】
ステップ１１０では、交信対象情報と第１の検証ファクターとが関連付けられてサーバに送信され、サーバは、送信された交信対象情報を、予め記憶された暗号化キーにより暗号化して、第２の暗号化結果を取得する。
【００４２】
ステップ１１２では、予め定められたアルゴリズムを用いて生成され第２の暗号化結果に対応する第２の検証ファクターが第１の検証ファクターと同じであるとサーバによって決定された場合に、サーバから送信される、交信が終了したことを示すメッセージが受信される。言い換えれば、予め定められたアルゴリズムを用いて生成され第２の暗号化結果に対応する第２の検証ファクターが第１の検証ファクターと同じであるとサーバが決定した場合に、メッセージが送信される。第２の暗号化結果は、予め記憶された暗号化キーを使用してサーバが交信対象情報を暗号化することによって取得される。
【００４３】
本実施形態では、ウェアラブルデバイスによって適用される暗号化キーと、サーバによって適用される暗号化キーが同じである、すなわち、対称暗号化キーである。暗号化キーは、サーバによって生成された後に端末によってウェアラブルデバイスに送信され、ウェアラブルデバイスに記憶される。本実施形態では、１つの暗号化キーが１つのログイン中ＩＤに一意的に対応するため、第１の検証ファクターが第２の検証ファクターと同じである場合には、ウェアラブルデバイスとサーバが同じ暗号化キーを適用していることが示され、ユーザの身元を検証することができる。
【００４４】
図１Ａに対応して、図１Ｂは、例示的な実施形態に係るウェアラブルデバイスに基づく情報交信方法を示すフローチャートである。情報交信方法は、以下のステップを含む。
【００４５】
ステップ１０２’では、端末との接続が確立される。
【００４６】
ステップ１０４’では、当該接続を介して端末から送信される交信対象情報が受信される。交信対象情報は、端末上のログイン中ＩＤに対応する。
【００４７】
ステップ１０６’では、ログイン中ＩＤに一意的に対応する予め記憶された暗号化キーにより交信対象情報が暗号化されて、暗号化結果が得られる。
【００４８】
本実施形態では、ウェアラブルデバイスによって適用される予め記憶された暗号化キーは、端末上のログイン中ＩＤに一意的に対応している。言い換えれば、ユーザは、ログイン中ＩＤを使用して、交信対象情報をウェアラブルデバイスに送信する。一方で、ログイン中ＩＤに対応するマッチングする暗号化キーは、サーバに記憶されている。ウェアラブルデバイスに予め記憶された暗号化キーと、サーバに記憶されているマッチングされた暗号化キーは、対称暗号化キーである。
【００４９】
ステップ１０８ 'において、接続を介して暗号化結果が端末に送信され、端末は、検証ファクターと交信対象情報を関連付けてサーバに送信する。検証ファクターは予め定められたアルゴリズムにより前記端末によって生成されており、暗号化結果に対応する。
【００５０】
本実施形態では、図１Ａの説明に対応して、端末によって送信される検証ファクターおよび交信対象情報を受信した後、サーバは、ログイン中ＩＤに対応する予め記憶された暗号化キーに応じて交信対象情報を暗号化して別の暗号化結果を取得し、さらに、端末によって適用される予め定められたアルゴリズムと同じ予め定められたアルゴリズムを用いて、別の暗号化結果に対応する別の検証ファクターを生成する。別の検証ファクターが、受信した検証ファクターと同じである場合、サーバおよびウェアラブルデバイスは同じ暗号化キーを適用しているため、ユーザの身元を検証することができ、送信プロセスにおいてサーバによって受信される検証ファクターと交信対象情報とのデータの整合性を確認することができる。
【００５１】
本開示の上記実施形態によれば、ログイン中ＩＤに対応する暗号化キーをウェアラブルデバイスとサーバのそれぞれに記憶し、ウェアラブルデバイスとユーザの間の強い関連性（ウェアラブルデバイスは毎日の使用に適したデバイスであるため、通常はユーザ自身のみによって使用される）を利用して、交信対象情報を暗号化するためにウェアラブルデバイスとサーバが同じ暗号化キーを適用しているかどうかを検証することにより、ユーザが身元を検証するためのパスワードを手動で入力することなく、ユーザの身元を早く検証することができる。これにより、情報交信の効率性の向上を促進することができる。
【００５２】
本開示に係る技術的解決策は、特定の種類に限定されないあらゆる場面における情報交信プロセスに適用することができる。例示的な実施形態として、図２は、スマートブレスレット、携帯電話および支払サーバを含む、一般的な適用場面を示す。ユーザが携帯電話を用いて支払取引を行う場合には、事前にマッチングしたスマートブレスレットを使用して、ユーザの身元を迅速に検証することができ、支払サーバ上で支払取引が操作可能となる。図３は、図１に示す処理フローに対応するとともに図２に示す支払場面に適用される情報交信方法のフローチャートを示す。情報交信方法は、以下のステップを含む。
【００５３】
１）マッチング処理
【００５４】
ステップ３０２では、ユーザが携帯電話を使用して送信するマッチング要求に応じて、支払サーバによって暗号化キーが生成される。暗号化キーは、携帯電話におけるユーザのログイン中ＩＤに一意的に対応している。
【００５５】
本実施形態では、ユーザは、スマートブレスレットとユーザＩＤの対応関係を確立するために、マッチング要求をいつでも開始することができる。ユーザはまた、スマートブレスレットとユーザＩＤの対応関係を修正することができる。
【００５６】
本実施形態では、ユーザの利便性のために、特に複数のユーザＩＤをユーザが登録している場合、あるいは、スマートブレスレットを家族間で共有することが予想される場合に、スマートブレスレットは複数のユーザＩＤとマッチングし、当該複数のユーザＩＤのそれぞれに対応する暗号化キーと複数のユーザＩＤとが関連付けられてスマートブレスレットに記憶される。当然、ユーザは、ブレスレットに記憶可能な暗号化キーの数を制限して、スマートブレスレットのプライバシーを向上させることができる。
【００５７】
本実施形態では、サーバが暗号化キーを生成する例が示されている。しかしながら、ある実施形態では、ログイン中ＩＤに対応する暗号化キーがウェアラブルデバイスにより生成されて、端末に送信され、端末は暗号化キーをサーバに送信する。
【００５８】
ステップ３０４では、ログイン中ＩＤに対応する、生成された暗号化キーが、支払サーバによって携帯電話に送信される。
【００５９】
ステップ３０６では、携帯電話によって、受信された暗号化キーがスマートブレスレットに送信され、スマートブレスレットは、暗号化キーとログイン中ＩＤとを関連付けて記憶する。
【００６０】
ステップ３０２―３０６に基づいて、スマートブレスレットとサーバのそれぞれが、暗号化キーとユーザＩＤとを関連付けて記憶し、１つのユーザＩＤに関して、スマートブレスレットとサーバは、当該ユーザＩＤに一意的に対応する１つの暗号化キーを適用する。これにより、その後の身元を検証する操作を容易にすることができる。
【００６１】
２）身元の検証
【００６２】
ステップ３０８では、携帯電話上で開始された支払取引に基づいて、対応する支払パラメータが生成される（支払対象、支払金額、支払口座など）。
【００６３】
ステップ３１０では、生成された支払パラメータが携帯電話によってスマートブレスレットに送信される。
【００６４】
本実施形態では、携帯電話とスマートブレスレットの間の無線接続を任意の方法で実現して（例えば、ブルートゥース通信、赤外線通信、近距離無線通信）、無線データ通信を実現することができる。
【００６５】
ステップ３１２では、受信された支払パラメータが、予め記憶された暗号化キーに基づいてスマートブレスレットによって暗号化される。
【００６６】
ステップ３１４では、生成された第１の暗号化結果が、スマートブレスレットによって携帯電話に送信される。
【００６７】
ステップ３１６では、第１の暗号化結果に対応する第１のメッセージダイジェストが、携帯電話によってＭＤ５アルゴリズムにより生成される。
【００６８】
本実施形態では、当然、その他の種類のメッセージダイジェストアルゴリズム（ＳＨＡアルゴリズムなど）が使用されてもよい。
【００６９】
ステップ３１８では、元の支払パラメータ（すなわち、暗号化処理などの手順で処理されていない支払パラメータ）と、第１のメッセージダイジェストが、関連付けられて携帯電話によって支払サーバに送信される。
【００７０】
ステップ３２０では、受信された元の支払パラメータが、現在のログイン中ＩＤに対応する暗号化キーにより支払サーバによって暗号化されて、第２の暗号化結果が生成される。
【００７１】
ステップ３２２では、生成された第２の暗号化結果に対応する第２のメッセージダイジェストが、スマートブレスレットによって適用されるメッセージダイジェストアルゴリズムと同じメッセージダイジェストアルゴリズム（例えばMD５アルゴリズムのような）により生成される。
【００７２】
ステップ３２４では、第１のメッセージダイジェストが第２のメッセージダイジェストと比較される。
【００７３】
本実施形態では、携帯電話と支払サーバの間のデータ伝送処理においてエラーが生じなかった場合、スマートブレスレットと支払サーバは、同じ支払パラメータを受信する。これより、ユーザの身元が正しい場合、スマートブレスレットによって適用される暗号化キーは、支払サーバによって適用される暗号化キーと同じになり、スマートブレスレットによって適用されるメッセージダイジェストアルゴリズムは、支払サーバによって適用されメッセージダイジェストアルゴリズムと同じになり、第１のメッセージダイジェストは、第２のメッセージダイジェストと同じになる。第１のメッセージダイジェストと第２のメッセージダイジェストが異なる場合、その理由は、ユーザの身元が正しくないと検証されるか、あるいは、データ伝送過程でエラーが発生したためである。これにより、支払取引を行う環境が安全でなく、支払取引を終了すべきであることが示される。
【００７４】
ステップ３２６では、第１のメッセージダイジェストが第２のメッセージダイジェストと同じであり、ユーザの身元が正しいものと検証されたことが示される場合に、受信した支払パラメータに応じて、対応する支払操作が支払サーバによって実行される。
【００７５】
ステップ３２８では、支払取引が終了したことを示すフィードバックメッセージが支払サーバによって携帯電話に送信される。
【００７６】
図４を参照すると、図４は、例示的な実施形態に係る別の情報交信方法を示すフローチャートである。情報交信方法は端末に適用され、以下のステップを含む。
【００７７】
ステップＳ４０２では、ウェアラブルデバイスとの接続が確立される。
【００７８】
本実施形態に係るウェアラブルデバイスには、ウェアラブルなポータブルデバイス、あるいは、ユーザの服およびアクセサリーに統合可能なポータブルデバイスが含まれる（例えば、スマートメガネ、スマートウォッチ、スマートブレスレット、スマート靴など）。しかし、本明細書では、特定のタイプのウェアラブルデバイスに限定されない。
【００７９】
本実施形態では、ウェアラブルデバイスとの接続は、様々な方法で端末によって実現される。例示的な実施例として、接続は、マイクロＵＳＢ回線を介した接続などの有線接続である。例示的な実施例として、接続は、ブルートゥース接続、赤外線接続、ＷＩＦＩ接続などの無線接続である。しかし、本明細書では、特定のタイプの接続に限定されない。
【００８０】
ステップ４０４では、接続を介して、ログイン中ＩＤに対応する交信対象情報がウェアラブルデバイスに送信される。
【００８１】
ステップ４０６では、ウェアラブルデバイスによって戻される暗号化結果が受信される。暗号化結果は、ログイン中ＩＤに一意的に対応する予め記憶された第１の暗号化キーによりウェアラブルデバイスが交信対象情報を暗号化することによって取得される。
【００８２】
本実施形態では、ユーザは、予め登録したユーザＩＤで端末にログインすることにより、対応する操作（データの閲覧、所定の機能の起動など）を実行することができる。より高いセキュリティが必要となるケースで、ユーザの身元を検証する必要がある場合でも、ユーザが身元を検証するためのパスワードを手動で入力する必要はなく、端末は、ユーザによって交信対象情報が決定された後にその交信対象情報をウェアラブルデバイスに送信し、ウェアラブルデバイスは交信対象情報を暗号化する。言い換えれば、交信対象情報にデジタル署名が行われる。
【００８３】
本実施形態では、ユーザは、交信対象情報を決定する必要があるのみであり、その一方で、端末とウェアラブルデバイスの間の情報伝達、および、ウェアラブルデバイスによる暗号化操作は、ユーザに透過的である。言い換えれば、身元を検証する手順はユーザの観点からは存在せず、プロセス全体におけるユーザの操作およびアクションが簡略化される。これにより、ユーザ体験を向上させることができ、情報交信速度を向上させることができる。
【００８４】
ステップ４０８では、暗号化結果がサーバに送信される。
【００８５】
ステップ４１０では、サーバによって送信され、かつ、交信が終了したことを示すメッセージが受信される。当該メッセージは、第１の暗号化キーにマッチングする第２の暗号化キーを用いてサーバによって暗号化結果に復号化操作が実行された後に送信される。
【００８６】
本実施形態では、ウェアラブルデバイスは暗号化キー（すなわち、第１の暗号化キー）を使用し、サーバはウェアラブルデバイスによって使用される暗号化キーとマッチングする暗号化キー（すなわち、第２の暗号化キー）を使用するため、端末からの暗号化結果をサーバが復号化することができる場合には、暗号化結果が第１の暗号化キーの暗号化によって生成されたことが示される。第１の暗号化キーがユーザＩＤに一意的に対応するので、ユーザの身元を検証することができる。
【００８７】
図４Ａに対応して、図４Ｂは、例示的な実施形態に係るウェアラブルデバイスに基づく別の情報交信方法を示すフローチャートである。情報交信方法は、以下のステップを含む。
【００８８】
ステップ４０２’では、端末との接続が確立される。
【００８９】
ステップ４０４’では、当該接続を介して、端末によって送信される交信対象情報が受信される。交信対象情報は、端末上のログイン中ＩＤに対応する。
【００９０】
ステップ４０６’では、ログイン中ＩＤに一意的に対応する予め記憶された暗号化キーにより交信対象情報が暗号化され、暗号化結果が得られる。
【００９１】
本実施形態では、ウェアラブルデバイスによって適用される予め記憶された暗号化キーは、端末上のログイン中ＩＤに一意的に対応している。ユーザは、ログイン中ＩＤを使用して、交信対象情報をウェアラブルデバイスに送信する。一方で、ログイン中ＩＤとマッチングされた暗号化キーは、サーバに記憶される。ウェアラブルデバイスに予め記憶された暗号化キーと、サーバに記憶されているマッチングされた暗号化キーは、対称暗号化キー又は非対称暗号化キーである。
【００９２】
ステップ４０８’において、接続を介して暗号化結果が端末に送信され、端末はその暗号化結果をサーバに送信する。
【００９３】
本実施形態では、図４の説明に対応して、端末によって送信される暗号化結果を受信した後、サーバは、ログイン中ＩＤに対応する予め記憶された暗号化キーに応じて、暗号化結果に対する復号化操作の実行を試みる。ユーザの身元が正しいものと検証された場合、サーバによって選択されログイン済みのＩＤに対応する暗号化キーは、ウェアラブルデバイスによって適用される暗号化キーとマッチングし、復号化操作がサーバによって無事に達成される。これにより、交信対象情報が取得される。
【００９４】
本開示の上記実施形態によれば、ログイン中ＩＤに対応する第１の暗号化キーをウェアラブルデバイス内に記憶し、ログイン中ＩＤに対応する第２の暗号化キーをサーバ内に記憶し、ウェアラブルデバイスとユーザの間の強い関連性（ウェアラブルデバイスは毎日の使用に適したデバイスであるため、通常はユーザ自身のみによって使用される）を利用して、ウェアラブルデバイスが交信対象情報を暗号化する際に適用する第１の暗号化キーが、サーバが復号化操作を行う際に適用する第２の暗号化キーとマッチングするかどうかを検証する。これにより、ユーザが身元を検証するためのパスワードを手動で入力することなく、ユーザの身元を早く検証することができ、情報交信の効率性の向上を促進することができる。
【００９５】
図１に示す実施形態と同様に、本実施形態は、特定の種類に限定されないあらゆる場面における情報交信プロセスに適用されてもよい。図４に示す処理フローに対応して、図５は、一実施形態に係る、図２に示す支払場面に適用される情報交信方法のフローチャートを示す。情報交信方法は、以下のステップを含む。
【００９６】
１）マッチング処理
【００９７】
ステップ５０２では、情報を暗号化するために使用される暗号化キーのペアがスマートブレスレットによって生成される。
【００９８】
本実施形態では、スマートブレスレットは、暗号化キーのペアをいつでも生成することができ、例えば、スマートブレスレットが起動された後に自動的に生成される、あるいは、ユーザによって送信されるマッチング要求に応じて生成される。
【００９９】
本実施形態では、暗号化キーのペアは非対称暗号化キーである。スマートブレスレットに記憶された第１の暗号化キーはプライベートキー（秘密鍵）であり、支払サーバに記憶された第２の暗号化キーはパブリックキー（公開鍵）である。
【０１００】
当然に例示的な実施例として、対称暗号化キーが使用される。第１の暗号化キーと、第１の暗号化キーと同じである第２の暗号化キーなどの対称暗号化キーのペアが、サーバによって生成される。第１の暗号化キーはサーバによって携帯電話に送信され、携帯電話は第１の暗号化キーをスマートブレスレットに送信し、スマートブレスレットは第１の暗号化キーを記憶する。
【０１０１】
ステップ５０４では、暗号化キーのペアのうちの第１の暗号化キーが、スマートブレスレットによって記憶される。
【０１０２】
ステップ５０６では、スマートブレスレットによって送信される暗号化キーのペアのうちの第２の暗号化キーが、携帯電話によって受信される。第１の暗号化キーは第２の暗号化キーとマッチングする。
【０１０３】
本実施形態では、ユーザが携帯電話を使用して送信するマッチング要求に応じて、スマートブレスレットは、第２の暗号化キーを携帯電話に送信する。携帯電話がマッチング要求を送信した場合、現在のログイン中ＩＤがスマートブレスレットに送信され、ログイン中ＩＤと第１の暗号化キーの間の関連性、および、ログイン中ＩＤと第２の暗号化キーの関連性が確立される。実際には、ログイン中ＩＤを持つユーザと暗号化キーのペアとの対応関係が確立される。
【０１０４】
ステップ５０８では、第２の暗号化キーが携帯電話によって支払サーバに送信され、支払サーバは第２の暗号化キーを記憶する。
【０１０５】
本実施形態では、携帯電話は、マッチング要求を支払サーバに送信し（すなわち、現在のログイン中ＩＤを使用して、対応するマッチング要求をユーザが送信し）、支払サーバは、受信した第２の暗号化キーおよびログイン中ＩＤを関連付けて記憶する。
【０１０６】
２）身元の検証
【０１０７】
ステップ５１０では、携帯電話上で開始された支払取引に基づいて、対応する支払パラメータが生成される（支払対象、支払金額、支払口座など）。
【０１０８】
ステップ５１２では、生成された支払パラメータが、携帯電話によってスマートブレスレットに送信される。
【０１０９】
本実施形態では、携帯電話とスマートブレスレットの間の無線接続を任意の方法で実現して（例えば、ブルートゥース通信、赤外線通信、近距離無線通信）、無線データ通信を実現することができる。
【０１１０】
ステップ５１４では、受信した支払パラメータが、予め記憶された第１の暗号化キーに基づいてスマートブレスレットによって暗号化される。
【０１１１】
ステップ５１６では、生成された暗号化結果がスマートブレスレットによって携帯電話に送信される。
【０１１２】
ステップ５１８では、暗号化結果が携帯電話によって支払サーバに送信される。
【０１１３】
ステップ５２０では、現在のログイン中ＩＤに基づく対応する第２の暗号化キーを使用して、暗号化結果に対する復号化操作が支払サーバによって実行される。
【０１１４】
ステップ５２２では、暗号化結果に対する復号化操作が正常に実行された場合に、第２の暗号化キーはスマートブレスレットによって適用される第１の暗号化キーとマッチングし、現在のログイン中ＩＤの身元が正しいことが検証され、対応する支払操作を行うことができる。
【０１１５】
ステップ５２４では、支払取引が終了したことを示すフィードバックメッセージが支払サーバによって携帯電話に送信される。
【０１１６】
図４に示す処理フローに対応して、図６は、別の実施形態に係る、図２に示した支払場面に適用される情報交信方法のフローチャートを示す。マッチング処理１）において、スマートブレスレットによって暗号化キーのペアを生成するステップから、身元検証処理２）において、スマートブレスレットによって支払パラメータを暗号化して暗号化結果を返すステップまでは、以下のステップを除き、図５に示したステップ５０２−５１６と同じである。
【０１１７】
ステップ６０２では、生成された元の支払パラメータに基づき、予め定められたアルゴリズムを用いて、対応する第１のメッセージダイジェストが携帯電話によって生成される。予め定められたアルゴリズムは、ＭＤ５アルゴリズム、ＳＨＡアルゴリズムなどであってもよい。
【０１１８】
本実施形態では、携帯電話は第１のメッセージダイジェストを生成し、スマートブレスレットは暗号化結果を生成する。第１のメッセージダイジェストおよび暗号化結果を生成する順序は特定の順序に限定されるものではなく、特定の順序は処理結果には影響しない。
【０１１９】
ステップ６０４では、暗号化結果と第１のメッセージダイジェストが、関連付けられて携帯電話によって支払サーバに送信される。
【０１２０】
ステップ６０６では、受信された暗号化結果に対する復号化操作が、現在のログイン中ＩＤに基づく対応する第２の暗号化キーを用いて支払サーバによって実行される。復号化操作が正常に実行された場合、スマートブレスレットによって適用される第１の暗号化キーと第２の暗号化キーがマッチングすることが示され、ユーザの身元が検証される。
【０１２１】
ステップ６０８では、復号化操作により得られた支払パラメータに対応する第２のメッセージダイジェストが、支払サーバによって予め定められたアルゴリズムを用いて生成される。
【０１２２】
ステップ６１０では、受信された第１のメッセージダイジェストが、生成された第２のメッセージダイジェストと比較され、これにより、ステップＳ６０４の送信処理における暗号化結果のインテグリティが検証される。
【０１２３】
ステップ６１２では、ユーザの身元が検証されインテグリティが保証される場合に、支払取引の現在の環境が安全であり、対応する支払操作が実行される。
【０１２４】
ステップ６１４では、支払取引が終了したことを示すフィードバックメッセージが支払サーバによって携帯電話に送信される。
【０１２５】
図１Ａに示す情報交信方法の実施形態に対応して、本開示はさらに、情報交信装置の実施形態を提供する。
【０１２６】
図７は、例示的な実施形態に係る端末に基づく情報交信装置を示すブロック図である。図７を参照すると、情報交信装置は、確立モジュール７０１と、第１の送信モジュール７０２と、第１の受信モジュール７０３と、生成モジュール７０４と、第２の送信モジュール７０５と、第２の受信モジュール７０６とを備える；確立モジュール７０１は、ウェアラブルデバイスとの接続を確立するように構成される；第１の送信モジュール７０２は、前記接続を介して、ログイン中ＩＤに対応する交信対象情報を前記ウェアラブルデバイスに送信するように構成される；第１の受信モジュール７０３は、前記ウェアラブルデバイスによって戻される第１の暗号化結果を受信するように構成され、前記第１の暗号化結果は、前記ログイン中ＩＤに一意的に対応する予め記憶された暗号化キーにより前記ウェアラブルデバイスが前記交信対象情報を暗号化することによって取得される；生成モジュール７０４は、前記第１の暗号化結果に対応する第１の検証ファクターを予め定められたアルゴリズムにより生成するように構成される；第２の送信モジュール７０５は、前記交信対象情報と前記第１の検証ファクターとを関連付けてサーバに送信するように構成される；第２の受信モジュール７０６は、前記サーバによって送信され、かつ、交信が終了したことを示すメッセージを受信するように構成され、前記メッセージは、第２の検証ファクターが前記第１の検証ファクターと同じであると前記サーバが決定した場合に送信され、前記第２の検証ファクターは、予め定められた前記アルゴリズムにより生成されるとともに第２の暗号化結果に対応し、前記第２の暗号化結果は、予め記憶された前記暗号化キーにより前記サーバが前記交信対象情報を暗号化することによって取得される。
【０１２７】
上述の実施形態では、ユーザＩＤに対応する暗号化キーのペアを予め設定し、ウェアラブルデバイスとサーバのそれぞれに暗号化キーのペアを記憶して、交信対象情報を暗号化することにより、ウェアラブルデバイスに記憶された暗号化キーをサーバによって検証することができる。このようにして、ユーザの身元を検証し、ユーザが身元を検証するためのパスワードを手動で入力する操作を回避することができる。これにより、情報交信の効率性の向上を促進することができる。
【０１２８】
あるいは、予め定められたアルゴリズムは、メッセージダイジェスト生成アルゴリズムを含んでもよい。
【０１２９】
図８に示すように、図８は、例示的な実施形態に係る端末に基づく別の情報交信装置を示すブロック図である。図７に示す実施形態に基づいて、情報交信装置はさらに、第１の暗号化キー受信モジュール７０７と、第１の暗号化キー送信モジュール７０８とを備える；第１の暗号化キー受信モジュールは、前記ウェアラブルデバイスによって送信される前記暗号化キーを受信するように構成される；第１の暗号化キー送信モジュールは、前記暗号化キーを前記サーバに送信するように構成され、前記サーバは、送信された前記暗号化キーと前記ログイン中ＩＤとを関連付けて記憶する。
【０１３０】
上述した実施形態では、暗号化キーはウェアラブルデバイスによって生成され、端末によってサーバに送信される。その結果、ウェアラブルデバイスとサーバの両方がマッチングする暗号化キーを記憶し、当該暗号化キーはログイン中ＩＤに一意的に対応する。
【０１３１】
図９に示すように、図９は、例示的な実施形態に係る端末に基づく別の情報交信装置を示すブロック図である。図７に示す実施形態に基づいて、情報交信装置はさらに、第２の暗号化キー受信モジュール７０９と、第２の暗号化キー送信モジュール７１０とを備える；第２の暗号化キー受信モジュール７０９は、前記サーバによって送信される前記暗号化キーを受信するように構成される；第２の暗号化キー送信モジュール７１０は、前記接続を介して前記暗号化キーを前記ウェアラブルデバイスに送信するように構成され、前記ウェアラブルデバイスは、送信された前記暗号化キーと前記ログイン中ＩＤとを関連付けて記憶する。
【０１３２】
本実施形態では、暗号化キーはサーバによって生成され、端末によってウェアラブルデバイスに送信される。その結果、ウェアラブルデバイスとサーバの両方がマッチングする暗号化キーを記憶し、当該暗号化キーはログイン中ＩＤに一意的に対応する。
【０１３３】
図８、図９に示す実施形態では、暗号化キーのペアが対称暗号化キーであれば、暗号化結果に対応するメッセージダイジェストを生成して、メッセージダイジェストおよび交信対象情報をサーバに送信することにより、データ交換量を低減するとともに、サーバによって受信された交信対象情報のインテグリティを検証することができ、データのセキュリティが改善される。
【０１３４】
図４Ａに示される情報交信方法の実施形態に対応して、本開示はさらに、情報交信装置の実施形態を提供する。
【０１３５】
図１０は、例示的な実施形態に係る端末に基づく情報交信装置を示すブロック図である。図１０を参照すると、情報交信装置は、確立モジュール９０１と、第１の送信モジュール９０２と、第１の受信モジュール９０３と、第２の送信モジュール９０４と、第２の受信モジュール９０５とを備える；確立モジュール９０１は、ウェアラブルデバイスとの接続を確立するように構成される；第１の送信モジュール９０２は、前記接続を介して、ログイン中ＩＤに対応する交信対象情報を前記ウェアラブルデバイスに送信するように構成される；第１の受信モジュール９０３は、前記ウェアラブルデバイスによって戻される暗号化結果を受信するように構成され、前記暗号化結果は、前記ログイン中ＩＤに対応する予め記憶された第１の暗号化キーにより前記ウェアラブルデバイスが前記交信対象情報を暗号化することによって取得される；第２の送信モジュール９０４は、前記暗号化結果を前記サーバに送信するように構成される；第２の受信モジュール９０５は、前記サーバによって送信され、かつ、交信が終了したことを示すメッセージを受信するように構成され、前記メッセージは、前記サーバが前記第１の暗号化キーにマッチングする第２の暗号化キーを用いて前記暗号化結果に復号化操作を行った後に送信される。
【０１３６】
上述した実施形態では、ユーザＩＤに対応する暗号化キーのペアを予め設定し、ウェアラブルデバイスとサーバのそれぞれに暗号化キーのペアを記憶することにより、交信対象情報をウェアラブルデバイスによって暗号化することによって、ウェアラブルデバイスに記憶された暗号化キーをサーバによって検証することができる。このようにして、ユーザの身元を検証し、ユーザが身元を検証するためのパスワードを手動で入力する操作を回避することができ、これにより、情報交信の効率性の向上を促進することができる。
【０１３７】
図１１に示すように、図１１は、例示的な実施形態に係る端末に基づいて別の情報交信装置を示すブロック図である。図１０に示す実施形態に基づいて、情報交信装置はさらに、第１の暗号化キー受信モジュール９０６と第１の暗号化キー送信モジュール９０７とを備える；第１の暗号化キー受信モジュール９０６は、前記サーバによって送信される前記第１の暗号化キーを受信するように構成される。第１の暗号化キー送信モジュール９０７は、前記第１の暗号化キーを、前記接続を介して前記ウェアラブルデバイスに送信するように構成され、前記ウェアラブルデバイスは、送信された前記第１の暗号化キーと前記ログイン中ＩＤとを関連付けて記憶する。
【０１３８】
あるいは、第１の暗号化キーと第２の暗号化キーは、対称暗号化キーである。
【０１３９】
上記実施形態では、暗号化キーのペアが対称暗号化キーである場合、暗号化結果をサーバに直接送信することによって、サーバは、受信した暗号化結果の復号結果に基づいて、ウェアラブルデバイスに記憶された暗号化キーが現在のログイン中ＩＤとマッチングするかどうかを決定することができ、ユーザの身元を検証することができる。
【０１４０】
図１２に示すように、図１２は、例示的な実施形態に係る端末に基づく別の情報交信装置を示すブロック図である。図１０に示す実施形態に基づいて、情報交信装置はさらに、第２の暗号化キー受信モジュール９０８と、第２の暗号化キー送信モジュール９０９とを備える；第２の暗号化キー受信モジュール９０８は、前記ウェアラブルデバイスによって送信される前記第２の暗号化キーを受信するように構成される；第２の暗号化キー送信モジュール９０９は、前記第２の暗号化キーを前記サーバに送信するように構成され、前記サーバは、送信された前記第２の暗号化キーと前記ログイン中ＩＤとを関連付けて記憶する。
【０１４１】
あるいは、第１の暗号化キーと第２の暗号化キーは、非対称キーである。第１の暗号化キーはプライベーとキーであり、第２の暗号化キーはパブリックキーである。
【０１４２】
上記実施形態では、暗号化キーのペアが非対称暗号化キーである場合、暗号化結果をサーバに直接送信することによって、サーバは、受信した暗号化結果の復号結果に基づいて、ウェアラブルデバイスに記憶された暗号化キーが現在のログイン中ＩＤとマッチングするかどうかを決定することができ、ユーザの身元を検証することができる。
【０１４３】
図１３に示すように、図１３は、例示的な実施形態に係る別の情報交信装置を示すブロック図である。図１０に示す実施形態に基づいて、情報交信装置はさらに、生成モジュール９１０と、第３の送信モジュール９１１とを備える。生成モジュール９１０は、前記交信対象情報に対応する第１の検証ファクターを予め定められたアルゴリズムにより生成するように構成される。第３の送信モジュール９１１は、前記第１の検証ファクターと前記暗号化結果とを関連付けて前記サーバに送信するように構成され、前記サーバは、第２の検証ファクターが、送信された前記第１の検証ファクターと同じであると決定した場合に、交信が終了したことを示すメッセージを戻す。前記第２の検証ファクターは、予め定められた前記アルゴリズムにより生成されるとともに前記復号化操作の結果に対応する。
【０１４４】
上記実施形態では、サーバは、ウェアラブルデバイスに記憶された暗号化キーを検証する一方で、交信対象情報に対応するメッセージダイジェストを生成することによって、復号化操作による復号結果のインテグリティをチェックする。その結果、データの安全性を向上させることができる。
【０１４５】
なお、図１３に示す情報交信装置の実施形態における生成モデル９１０および第３の送信モジュール９１１は、図９―図１１に示す情報交信装置の実施形態に含まれてもよいが、これに限定されない。
【０１４６】
あるいは、図９−図１２に示される情報交信装置の実施形態に係る予め定められたアルゴリズムは、メッセージダイジェスト生成アルゴリズムを含む。
【０１４７】
図１Ｂおよび図４Ｂに示される情報交信装置に対応して、本開示はさらに、情報交信装置の実施形態を提供する。
【０１４８】
図１４は、例示的な実施形態に係るウェアラブルデバイスに基づく情報交信装置を示すブロック図である。図１４を参照すると、情報交信装置は、確立モジュール１４１と、受信モジュール１４２と、暗号化モジュール１４３と、送信モジュール１４４とを備える；確立モジュールは、端末との接続を確立するように構成される；受信モジュールは、前記接続を介して、前記端末によって送信される交信対象情報を受信するように構成され、前記交信対象情報は、前記端末上のログイン中ＩＤに対応する；暗号化モジュールは、前記ログイン中ＩＤに一意的に対応する予め記憶された暗号化キーにより前記交信対象情報を暗号化して、暗号化結果を得るように構成される；送信モジュールは、前記接続を介して、前記暗号化結果を前記端末に送信するように構成され、前記端末は前記サーバに対して、送信された前記暗号化結果を送信、あるいは、検証ファクターと前記交信対象情報とを関連付けて送信し、前記検証ファクターは、予め定められたアルゴリズムにより生成されるとともに前記暗号化結果に対応する。
【０１４９】
前記実施形態の装置に関し、個々のモジュールの動作を行う具体的な方式が前記方法に関する実施形態に詳細に述べられているので、ここでは詳細に述べない。
【０１５０】
装置の実施形態は、方法の実施形態に対応する。関連するコンテンツについて、方法の実施形態の部分的な説明が参照される。装置の上記実施形態は例示的である。別々のコンポーネントとして記述したユニットは、物理的に分離されても、分離されていなくてもよい。ユニットとして示したコンポーネントは、物理的な単位であっても、そうでなくてもよい、すなわち、１つの位置に統合されても、複数のネットワークユニットに分配されてもよい。実際の要求に応じて、実施形態の解決の目的を達成するために、モジュールの一部又は全てが選択されてもよい。当業者は、創造的な努力をすることなく、本開示を理解および実施することができる。
【０１５１】
図１５は、本開示の例示的な実施形態に係る情報を交信するための装置１５００のブロック図である。装置１５００は例えば、携帯電話、コンピュータ、デジタル放送用端末機、メッセージ受信・送信機器、ゲームコントローラ、タブレットデバイス、医療機器、フィットネス機器、ＰＤＡなどである。
【０１５２】
図１５を参照すると、装置１５００は、処理コンポーネント１５０２、メモリ１５０４、電力コンポーネント１５０６、マルチメディアコンポーネント１５０８、オーディオコンポーネント１５１０、入力／出力（Ｉ／Ｏ）インタフェース１５１２、センサコンポーネント１５１４、及び通信コンポーネント１５１６の１以上のコンポーネントを備えてもよい。
【０１５３】
処理コンポーネント１５０２は、一般的には、表示、電話、データ通信、カメラ動作、及びレコーディング動作に関連する動作などの、装置１５００の全体動作を制御する。処理コンポーネント１５０２は、前述した端末に基づく方法又はウェアラブルデバイスに基づく方法のステップの全部又は一部を行うように命令を実行する１以上のプロセッサ１５２０を備えてもよい。さらに、処理コンポーネント１５０２は、処理コンポーネント１５０２と他のコンポーネントとの間の交信（インタラクション）を容易にする１以上のモジュールを含んでもよい。例えば、処理コンポーネント１５０２は、マルチメディアコンポーネント１５０８と処理コンポーネント１５０２との間のインタラクションを容易にするマルチメディアモジュールを含んでもよい。
【０１５４】
メモリ１５０４は、装置１５００の動作をサポートするために様々なタイプのデータを記憶するように構成されている。そのようなデータの例には、装置１５００上で動作するアプリケーション又は方法のための指示、連絡先データ、電話帳データ、メッセージ、写真、映像などが含まれる。メモリ１５０４は、例えば、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気又は光ディスクなどの任意のタイプの揮発性又は不揮発性メモリ装置、又はその組合せを用いて実現されてもよい。
【０１５５】
電力コンポーネント１５０６は、装置１５００の様々なコンポーネントに対して電力を提供する。電力コンポーネント１５０６は、電力管理システム、１以上の電源、及び、装置１５００の電力の生成、制御、分配に関連する他のコンポーネントを備えてもよい。
【０１５６】
マルチメディアコンポーネント１５０８は、装置１５００とユーザとの間の出力インタフェースを提供する画面を備えている。いくつかの実施形態において、前記画面は、液晶ディスプレイ（ＬＣＤ）およびタッチパネル（ＴＰ）を備える。前記画面がタッチパネルを備える場合、前記画面は、ユーザからの入力信号を受信するタッチスクリーンとして実現されてもよい。前記タッチパネルは、前記タッチパネル上でのタッチ、スワイプ、及びジェスチャーを検知するための１以上のタッチセンサを備える。タッチセンサは、タッチ又はスワイプの動作の境界を検知するだけでなく、タッチ又はスワイプの動作に関連する持続時間及び圧力も検知してもよい。いくつかの実施形態において、マルチメディアコンポーネント１５０８は、前向きカメラ及び／又は後向きカメラを備えている。前向きカメラ及び後向きカメラは、装置１５００が撮影モードや映像モードなどの運転モードにあるときに、外部のマルチメディアデータを受信してもよい。前向きカメラ及び後向きカメラの各々は、固定された光学レンズ系であってもよいし、焦点整合及び光学ズーム性能を有してもよい。
【０１５７】
オーディオコンポーネント１５１０は、オーディオ信号を出力及び／又は入力するように構成されている。例えば、オーディオコンポーネント１５１０は、装置１５００が通話モード、レコーディングモード、音声認識モードなどの運転モードにあるときに外部オーディオ信号を受信するように構成されたマイクロフォン（ＭＩＣ）を備えている。受信されたオーディオ信号は、更に、メモリ１５０４に記憶されても、通信コンポーネント１５１６を介して送信されてもよい。いくつかの実施形態において、オーディオコンポーネント１５１０は、更に、オーディオ信号を出力するスピーカを備えている。
【０１５８】
Ｉ／Ｏインタフェース１５１２は、処理コンポーネント１５０２と、キーボード、クリックホイール、ボタンなどの周辺インタフェースモジュールとの間のインタフェースを提供するように構成されている。ボタンは、限定されるものではないが、ホームボタン、ボリュームボタン、起動ボタン、及びロックボタンを備えてもよい。
【０１５９】
センサコンポーネント１５１４は、装置１５００の様々な態様のステータス評価を提供する１以上のセンサを備えている。例えば、センサコンポーネント１５１４は、装置１５００の開／閉状態、及びコンポーネント（例えば、装置１５００の表示部及びキーパッド）の相対位置を検知してもよい。また、センサコンポーネント１５１４は、装置１５００又は装置１５００のコンポーネントの位置の変化、装置１５００に接触するユーザの有無、装置１５００の方位又は加速／減速、装置１５００の温度の変化を検知してもよい。センサコンポーネント１５１４は、いかなる物理的接触もなく、近くの物体の存在を検知するように構成された近接センサを備えてもよい。また、センサコンポーネント１５１４は、更に、イメージングアプリケーションで使用するために、ＣＭＯＳやＣＣＤイメージングセンサなどの光センサを備えてもよい。いくつかの実施形態において、センサコンポーネント１５１４は、加速度センサ、ジャイロセンサ、磁気センサ、圧力センサ、又は温度センサも含んでもよい。
【０１６０】
通信コンポーネント１５１６は、装置１５００と他の装置との間の有線又は無線通信を容易にするように構成されている。装置１５００は、ＷｉＦｉ、２Ｇ、３Ｇなどの通信規格、又はそれらの組合せに基づく無線ネットワークにアクセスすることができる。例示的な一実施形態において、通信コンポーネント１５１６は、放送チャンネルを介して外部の放送制御システムからの放送信号又は放送関連情報を受信する。例示的な一実施形態において、通信コンポーネント１５１６は、更に、短距離通信を容易にするために近距離無線通信（ＮＦＣ）モジュールを備えている。例えば、ＮＦＣモジュールは、無線自動識別（ＲＦＩＤ）技術、赤外線通信協会（ＩｒＤＡ）技術、超広帯域（ＵＷＢ）技術、ブルートゥース（ＢＴ）技術、又は他の技術に基づいて実現されてもよい。
【０１６１】
例示的な実施形態において、装置１５００は、本開示の実施形態に係る前述した方法を行うために、特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、コントローラ、マイクロコントローラ、マイクロプロセッサ、又は他の電子部品で構成されるグループから選択された少なくとも１つのデバイスにより実現される。
【０１６２】
本開示の例示的な実施形態においては、メモリ１５０４などの、命令を含んだ非一時的なコンピュータ可読記憶媒体も提供される。前記命令は、前述した方法を行うために装置１５００のプロセッサ１５２０によって実行可能である。例えば、非一時的なコンピュータ可読記憶媒体は、ＲＯＭ、ランダムアクセスメモリ（ＲＡＭ）、ＣＤ−ＲＯＭ、磁気テープ、フロッピー（登録商標）ディスク、光データ記憶装置等であってもよい。
【０１６３】
本開示の他の実施形態は、ここに開示された本開示の明細書及びプラクティスを考慮すると当業者にとって明らかである。本願は、本開示の一般的な原理に従う任意の変形、使用、又は適応をカバーし、当該技術分野において公知又は慣行の範囲内で本開示から逸脱するものを含むことが意図される。明細書及び実施例は、以下の特許請求の範囲によって示される本開示の真の範囲及び精神と共に、例示的なものとしてのみ考慮されることが意図される。
【０１６４】
本開示は、前述され且つ添付の図面に図示された正確な構成に限定されるものではなく、様々な修正及び変更がその範囲から逸脱することなく行われてもよい。本開示の範囲は添付の特許請求の範囲によってのみ限定されることが意図される。
【図１Ａ】
0006374010.tif 000002
【図１Ｂ】
0006374010.tif 000003
【図２】
0006374010.tif 000004
【図３】
0006374010.tif 000005
【図４Ａ】
0006374010.tif 000006
【図４Ｂ】
0006374010.tif 000007
【図５】
0006374010.tif 000008
【図６】
0006374010.tif 000009
【図７】
0006374010.tif 000010
【図８】
0006374010.tif 000011
【図９】
0006374010.tif 000012
【図１０】
0006374010.tif 000013
【図１１】
0006374010.tif 000014
【図１２】
0006374010.tif 000015
【図１３】
0006374010.tif 000016
【図１４】
0006374010.tif 000017
【図１５】
0006374010.tif 000018